(57)【要約】【課題】ランナー本体に設けた前後調整機構でランナー軸を前後方向に移動操作でき、その際に、戸パネルの前後調整を適量ずつ的確に、しかも調整結果を確認しながら過不足なく行うことができるランナーを提供する。【解決手段】ランナー本体８の走行ブロック２４とランナー軸１１との間に前後調整機構を設ける。走行ブロック２４には、ランナー軸１１の前後方向の移動を許す調整穴３３を通設する。前後調整機構は、調整ねじ軸２８と、調整ねじ軸２８に螺合する調整リング２９とを調整要素にしている。調整リング２９を操作ギヤ３１で回転操作すると、調整リング２９が調整ねじ軸２８に沿って前後方向へ調整移動する。この調整リング２９の前後動作を、受動ピース３０を介してランナー軸１１に伝えて、戸パネル３を前後方向へ位置調整できるようにする。【選択図】　　　　図１
2004084396.tif 000002
【特許請求の範囲】
【請求項１】
ランナー本体８が、走行ブロック２４と、走行ブロック２４で遊転自在に軸支されるローラー２５と、走行ブロック２４と戸パネル３を繋ぐランナー軸１１とを備えており、ランナー軸１１と走行ブロック２４との間に前後調整機構が設けてあるランナーであって、
走行ブロック２４には、ランナー軸１１の前後方向の移動を許す調整穴３３が上下方向に通設されており、
前後調整機構が、走行ブロック２４で回転不能に支持される調整ねじ軸２８と、調整ねじ軸２８に螺合して調整ねじ軸２８に沿って前後方向へ調整移動できる調整リング２９と、調整リング２９の前後動作をランナー軸１１に伝える受動ピース３０とを含み、
調整リング２９を回転操作してランナー軸１１を前後調整できることを特徴とするランナー。
【請求項２】
ローラー軸２６の前後中途部に調整ねじ軸２８が形成されており、
ローラー軸２６が走行ブロック２４に装着した回止め具３５で回転不能に固定支持されている請求項１記載のランナー。
【請求項３】
走行ブロック２４に、歯車からなる調整リング２９と噛み合って調整リング２９を回転操作する操作ギヤ３１が設けられており、
操作ギヤ３１の一部が、走行ブロック２４の外面に臨んで露出している請求項１または２に記載のランナー。
【請求項４】
調整リング２９の外径が、操作ギヤ３１の外径より大きく設定されている請求項３記載のランナー。
【請求項５】
ランナー本体８が、走行ブロック２４と、走行ブロック２４で遊転自在に軸支されるローラー２５と、走行ブロック２４と戸パネル３を繋ぐランナー軸１１とを備えており、ランナー軸１１と走行ブロック２４との間に前後調整機構が設けてあるランナーであって、
走行ブロック２４には、ランナー軸１１の前後方向の移動を許す調整穴３３が上下方向に通設されており、
前後調整機構が、走行ブロック２４の移行方向と直交する向きに配置した調整ねじ軸２８と、調整ねじ軸２８に螺合して調整ねじ軸２８に沿って前後方向へ調整移動できる受動ピース３０と、調整ねじ軸２８を回転操作する調整リング２９とを含み、
受動ピース３０がランナー軸１１に装着してあるランナー。
【発明の詳細な説明】
【０００１】
【発明の属する技術分野】
本発明は、折戸や引戸に適用されるランナー、なかでも戸パネルを前後に位置調整するための機構を備えているランナーに関する。
【０００２】
【従来の技術】
折戸や引戸用のランナーに前後調整機構を設けることは公知である（特許文献１参照）。そこでは、戸パネルの隅部に埋設固定されるケースと、ケースに対して着脱可能に装着されるランナー台と、ガイドレールで走行案内されるランナー本体と、ランナー台とランナー本体を上下に連結する連結体等でランナーを構成している。ランナー台の内部には、前後調整機構と上下調整機構とが組み込んである。前後調整機構は、連結体をランナー台で前後変位可能に支持したうえで、任意の前後調整位置で連結板を拘束するように構成してある。つまり戸パネルを人手で押し引き操作して前後調整を行った後、連結板に外嵌するスライド枠を調整ねじで引寄せて連結板を固定する構造になっている。
【０００３】
本発明のランナーにおいては、ランナー本体の走行ブロックに前後調整機構を組み込むが、この種のランナーは本出願人によって先に提案されている（特許文献２参照）。そこでは、縦軸回りに回転できる調整カムを走行ブロックに設けておき、調整カムの偏心位置にランナー軸を上下貫通状に装着している。走行ブロックの下面に突出する調整カムの下端には、六角形状の操作部が形成してあり、この操作部をスパナで回転操作すると、ランナー軸の中心を調整カムの回転中心軸の回りに前後変位させて、戸パネルの前後位置を調整できる。
【０００４】
（特許文献１）
特開２０００−２４８８１９号公報（段落番号００２３−００２６、図４）
（特許文献２）
特開２００１−３１７２６７号公報（段落番号００２６−００３０、図５）
【０００５】
【発明が解決しようとする課題】
前者ランナーによれば、前後調整ねじがランナー台の側端面に臨ませてあるので、戸パネルの側端面と正対する姿勢で前後調整ねじを回転操作でき、従って戸パネルの前後方向の位置調整が簡便に行える。しかし、前後調整機構と上下調整機構とをランナー台の内部に組み込むので、ランナー台の内部構造が複雑になる。戸パネルを人手で前後に押し引き操作して前後位置を調整するので、戸パネルを適量だけ前後移動させるのが難しく調整作業に手間取る。とくに、引戸パネルを左右一対のランナーで支持するとき、戸パネルの左右端を等量ずつ均等に調整移動するのが困難となる。
【０００６】
その点、後者ランナーによれば、調整カムの操作角度に応じてランナー軸を前後移動できるので、戸パネルを的確に調整移動でき、しかも調整結果を確認しながら前後調整を行うことができるので、戸パネルの前後移動を過不足のない状態で適正に行える。しかし、ランナー軸を調整カムの回転中心軸の回りに前後変位させるので、前後調整に伴ってランナー軸の中心位置、つまりランナー本体の戸パネルに対する左右位置が変化するのを避けられない。こうした左右方向の位置変化は、引戸の場合には殆ど無視できるが、ランナー本体をランナーキャッチで捕捉保持して、ランナー軸を吊元にして折り戸を構成する場合に問題を生じることがある。ランナー本体と戸パネルとが左右方向に位置ずれした分だけ、ランナーキャッチとランナー本体の対向間隔が変化し、最悪の場合にはランナー本体をランナーキャッチで捕捉保持できないことがある。戸パネルの前後調整を行うとき、スパナなどの操作工具を必要とする不便さもある。
【０００７】
本発明の目的は、ねじと、ねじに沿って移動できる調整リングを調整要素にしてランナー軸を前後方向に移動操作でき、従って、戸パネルを必要な量ずつ的確に前後調整し、しかも調整結果を確認しながら過不足なく前後調整できる前後調整機構を備えたランナーを提供することにある。
【０００８】
本発明の目的は、前後調整に伴うランナー軸の左右移動がなく、従ってランナーを折戸と引戸とのいずれにも問題なく適用することができるランナーを提供することにある。
【０００９】
本発明の目的は、スパナなどの操作工具を用意する必要もなく前後調整操作を行うことができ、従って戸パネルの前後調整操作が簡便に行えるランナーを提供することにある。
【００１０】
【課題を解決するための手段】
本発明のランナーのランナー本体８は、走行ブロック２４と、走行ブロック２４で遊転自在に軸支されるローラー２５と、走行ブロック２４と戸パネル３を繋ぐランナー軸１１とを備えている。ランナー軸１１と走行ブロック２４との間には前後調整機構を設けてある。走行ブロック２４には、ランナー軸１１の前後方向の移動を許す調整穴３３が上下方向に通設されている。前後調整機構は、走行ブロック２４で回転不能に支持される調整ねじ軸２８と、調整ねじ軸２８に螺合して調整ねじ軸２８に沿って前後方向へ調整移動できる調整リング２９と、調整リング２９の前後動作をランナー軸１１に伝える受動ピース３０とを含む。以て、調整リング２９を回転操作することにより、ランナー軸１１を前後調整できるようにしたものである。
【００１１】
具体的には、ローラー軸２６の前後中途部に調整ねじ軸２８を形成し、ローラー軸２６は走行ブロック２４に装着した回止め具３５で回転不能に固定支持する。
【００１２】
走行ブロック２４には、歯車からなる調整リング２９と噛み合って調整リング２９を回転操作する操作ギヤ３１が設けられており、操作ギヤ３１の一部が、走行ブロック２４の外面に臨んで露出している。
【００１３】
調整リング２９の外径は、操作ギヤ３１の外径より大きく設定することができる。
【００１４】
本発明の別のランナーは、ランナー本体８が、走行ブロック２４と、走行ブロック２４で遊転自在に軸支されるローラー２５と、走行ブロック２４と戸パネル３を繋ぐランナー軸１１とを備えている。ランナー軸１１と走行ブロック２４との間には前後調整機構を設けてある。走行ブロック２４には、ランナー軸１１の前後方向の移動を許す調整穴３３を上下方向に通設する。前後調整機構は、走行ブロック２４の移行方向と直交する向きに配置した調整ねじ軸２８と、調整ねじ軸２８に螺合して調整ねじ軸２８に沿って前後方向へ調整移動できる受動ピース３０と、調整ねじ軸２８を回転操作する調整リング２９とを含み、受動ピース３０がランナー軸１１に装着されている。
【００１５】
【発明の作用効果】
本発明では、走行ブロック２４に設けた調整ねじ軸２８と、調整ねじ軸２８に螺合する調整リング２９を調整要素にして前後調整機構を構成し、調整リング２９が回転操作されて調整ねじ軸２８に沿って前後いずれかへ移動するとき、その動作を受動ピース３０を介してランナー軸１１に伝えて前後調整できるようにしたので、戸パネル３を必要な量ずつ的確に前後調整できる。
【００１６】
しかも調整結果を確認しながら前後調整できるので、前後に隣接する戸パネル３の前後間隔を過不足なく適正に調整できる。調整リング２９を調整ねじ軸２８に沿って前後移動させることにより、ランナー軸１１を前後操作するので、前後調整に伴うランナー軸１１の左右移動がなく、従って折戸と引戸とのいずれにも問題なく適用することができる汎用性に優れたランナーが得られる。前後調整機構が走行ブロック２４に組み込まれているので、ランナー台１０の内部構造を簡素化できる利点もある。
【００１７】
ローラー軸２６を利用して、その前後中途部に調整ねじ軸２８を形成したランナーによれば、調整ねじ軸２８を独立して設ける場合に比べて、ランナー本体８の構造を簡素化して、その製造に要する費用を削減できる。ローラー軸２６を回止め具３５で回転不能に固定支持するのは、ランナーが走行移動するときローラー軸２６が回転すると、調整ねじ軸２８が同行回転して調整ギヤ２９の前後位置がずれてしまうのを阻止するためである。
【００１８】
調整リング２９を歯車で形成しておき、周面の一部が走行ブロック２４の外面に臨んで露出された操作ギヤ３１で、先の調整リング２９を回転操作することにより前後調整を行うようにしたランナーによれば、操作ギヤ３１を指先で回転操作して前後調整できるので、前後調整時にスパナなどの操作工具を用意する必要がなく、従って戸パネルの前後調整操作を簡便に行える。調整リング２９とは別に操作ギヤ３１を設けるので、走行ブロック２４の下面や側端面など、調整リング２９まわりの適所に操作ギヤ３１を配置して、調整操作に適した場所で操作ギヤ３１を操作できる。とくに、折戸用に構成されたランナーにおいて、走行ブロック２４の側端に係合爪４５や、接当規制突起が設けてあるような場合にでも、これらの部材を避けて調整操作に適した場所に操作ギヤ３１を配置できる。
【００１９】
調整リング２９の外径が操作ギヤ３１の外径より大きく設定されていると、操作ギヤ３１で調整リング２９を回転操作するときの、操作ギヤ３１の操作トルクを小さくできるので、より小さな力で調整ギヤ２９を軽快に回転操作できる。
【００２０】
本発明の別のランナーでは、走行ブロック２４に設けた調整ねじ軸２８と、調整ねじ軸２８に螺合する受動ピース３０とを調整要素にして前後調整機構を構成し、調整ねじ軸２８が調整リング２９で回転操作されて受動ピース３０が前後いずれかへ移動するとき、その動作をランナー軸１１に伝えて前後調整できるようにしたので、戸パネル３を必要な量ずつ的確に前後調整できる。しかも調整結果を確認しながら前後調整できるので、前後に隣接する戸パネル３の前後間隔を過不足なく適正に調整できる。
【００２１】
受動ピース３０を調整ねじ軸２８に沿って前後移動させることにより、ランナー軸１１を前後操作するので、前後調整に伴うランナー軸１１の左右移動がなく、従って折戸と引戸とのいずれにも問題なく適用することができる汎用性に優れたランナーが得られる。調整ねじ軸２８に噛み合う受動ピース３０でランナー軸１１を直接的に移動操作するので、伝動部材が少なくてすむ分だけ、伝動部材間の僅かな隙間を排除して、ランナー軸１１の有効な調整ストロークを増加できる。前後調整機構を走行ブロック２４に組み込むので、ランナー台１０の内部構造を簡素化できる利点もある。
【００２２】
【実施例】
図１ないし図７は本発明に係るランナーを引戸に適用した実施例を示す。図２において引戸は、開口枠の上下に設けたガイドレール１・２と、両レール１・２で開閉案内されて引違いできる左右一対の戸パネル３とからなる。各戸パネル３の両側の上下面には、それぞれガイドレール１・２で移行案内されるランナー４と振止めローラー５とが装着してある。
【００２３】
図３においてランナー４は、ガイドレール１で左右方向に走行案内されるランナー本体８と、戸パネル３の上隅に埋設固定される保持ケース９と、保持ケース９に横外側方から差し込み装填されるランナー台１０と、ランナー本体８とランナー台１０とを上下に連結するランナー軸１１と有する。上側のガイドレール１は断面Ｃ字状の前後レールを一体に成形したアルミニウム条材からなり、下面前後のレール壁１ａ・１ａの間が下向きに開口している。前後レールは、逆Ｔ字状の壁を共有している。
【００２４】
ランナー台１０を戸パネル３に着脱可能に装着するために、戸パネル３の側端上部には、縦断面が逆Ｔ字形の取付穴１４を形成し、この取付穴１４に保持ケース９を嵌め込んで、図外のビスで固定している。保持ケース９は、横断面がＵ字状で、縦断面が逆Ｔ字状のダイキャスト成形品からなり、上下端および横外側方が開口している。保持ケース９の内面下部には、ランナー台１０の連結部１６を受け入れる装着凹部１５が形成されている。
【００２５】
ランナー台１０は、下部周面に連結部１６が膨出する縦断面が逆Ｔ字状の射出成形されたプラスチックブロックからなり、その一側にランナー軸１１が連結してある（図１参照）。ランナー台１０は、保持ケース９に装填した状態で、その外側端から戸パネル３にねじ込んだビス１７によって分離不能に固定される。ランナー台１０の内部には上下調整機構が組み込んである。
【００２６】
図１において上下調整機構は、上下調整用の調整軸１９と、調整軸１９と同行回転する原動側のかさ歯車２０と、ランナー軸１１の下半部に設けたねじ軸２１にねじ込まれて、先のかさ歯車２０と噛み合う従動側のかさ歯車２２などで構成する。調整軸１９をドライバー等で回転操作すると、従動側のかさ歯車２２が原動側のかさ歯車２０で回転操作されるので、従動側のかさ歯車２２の回転方向と回転量に応じて、ランナー軸１１を上下に調整移動できる。なお、ランナー軸１１はランナー台１０に対して回転不能に組み付けてある。
【００２７】
図４においてランナー本体８は、プラスチック成形品からなる左右横長の走行ブロック２４と、走行ブロック２４の前後に左右一対ずつ配置した４個のローラー２５と、これらのローラー２５を遊転自在に支持するローラー軸２６と、走行ブロック２４とランナー軸１１との間に設けた前後調整機構とを含む。図１に示すように、ランナー軸１１は走行ブロック２４の左右中央部を上下方向に貫通する状態で組み付けられており、この組み付け状態において走行ブロック２４とランナー軸１１とは自由に相対回転できる。
【００２８】
図４において前後調整機構は、調整ねじ軸２８と、調整ねじ軸２８に螺合する調整ギヤ（調整リング）２９と、調整ギヤ２９の前後動作をランナー軸１１に伝える受動ピース３０と、調整ギヤ２９を回転操作する操作ギヤ３１などで構成する。これらの部材を収容するために、走行ブロック２４に収容室３２が形成してある。
【００２９】
図１において収容室３２は、上向きに開口する上室３２ａと、下向きに開口する下室３２ｂとからなり、両室３２ａ・３２ｂは下室３２ｂの上面で連続している。上室３２ａに調整ねじ軸２８、調整ギヤ２９および受動ピース３０を収容し、下室３２ｂに操作ギヤ３１を収容する。図１および図５に示すように上室３２ａの内底には、ランナー軸１１の前後移動を許す調整穴３３が長穴として形成してある。
【００３０】
図４に示すように調整ねじ軸２８は、パネル側端がわのローラー軸２６を利用してその前後中央部に形成してある。ランナー４が走行移動するときローラー軸２６が回転すると、調整ねじ軸２８が同行回転して、調整ギヤ２９の前後位置がずれてしまうおそれがある。こうした事態を防ぐために、ランナー軸２６を上室３２ａに装着固定される回止め具３５で回転不能に保持固定している。
【００３１】
詳しくは、調整ねじ軸２８の前後端の軸表面に一対の平坦面３６を形成し、この平坦面３６に回止め具３５が係合している。回止め具３５は、コ字状に折曲げられたプレス金具からなり、前後一対の脚壁の下部に先の平坦面３６と係合する溝３７が形成してある。図５に示すように、回止め具３５は上室３２ａの側端壁で受け止められて、ランナー軸２６を回転不能に固定保持できる。
【００３２】
図４および図６において調整ギヤ２９は、前後厚みが薄い平歯車からなり、その内面に調整ねじ軸２８と噛み合うねじ穴３９を形成してある。受動ピース３０は、ランナー軸１１に外嵌するボス４０と、ボス４０の一側から横向きに突設される前後一対のアーム４１とを一体に備えており、アーム４１の遊端寄りに調整ねじ軸２８の直径より僅かに大きな逃げ穴４２が通設してある。
【００３３】
図５に示すように、調整ねじ軸２８に螺合した調整ギヤ２９の前後面を一対のアーム４１で受け止めることにより、調整ギヤ２９の前後移動に同行して受動ピース３０を前後移動でき、これによりランナー軸１１が調整穴３３に沿って前後調整される。その結果、前後に隣接する戸パネル３の前後隙間Ｅ（図３参照）を的確に調整できる。ランナー４を折戸に適用できるようにするために、受動ピース３０とランナー軸１１とは自由に相対回転できる状態で連結してある。
【００３４】
操作ギヤ３１は、調整ギヤ２９の調整ストロークに対応して前後に長く形成してある平歯車からなり、下室３２ｂを前後に横断するピン４３を介して遊転自在に軸支してある。操作ギヤ３１と調整ギヤ２９とは、互いに噛み合う状態で走行ブロック２４に平行に組み付けてあり、この組み付け状態において操作ギヤ３１の下周面は、走行ブロック２４の下面から露出している。
【００３５】
従って、図１に示すように操作ギヤ３１の下周面に指先を当てがって、操作ギヤ３１を左右いずれかに回転操作すると、調整ギヤ２９が前後いずれかへ移動して、ランナー軸１１、即ち戸パネル３を前後に調整移動できる。図７は調整ギヤ２９が調整ストロークの前端まで移動した状態を示している。前後調整に伴って、ランナー軸１１が左右方向へ移動することもない。なお、調整ギヤ２９をより小さな力で回転操作できるようにするために、調整ギヤ２９の外径は操作ギヤ３１の外径より大きく設定してある。
【００３６】
図８は折戸用に変更したランナー４の別実施例を示す。そこでは、走行ブロック２４の閉じ端側に係合爪４５を突設し、ガイドレール１の側端に係合爪４５を捕捉固定するランナーストッパー４６が設けられている。ランナーストッパー４６は、ガイドレール１に側方から嵌め込み固定されるケース４７と、ケース４７で上下動可能に支持されるストッパー４８と、ストッパー４８を押し下げ付勢するばね４９等で構成してある。ストッパー４８で係合爪４５を係合捕捉することにより、ランナー４を開放移動不能に保持して、戸パネル３をランナー軸１１の回りに揺動開閉できる。ストッパー４８をばね４９の付勢力に抗して押し上げ操作すると、ストッパー４８と係合爪４５との係合を解除して戸パネル３を開放できる。他は先の実施例と同じであるので、同じ部材に同じ符号を付してその説明を省略する。以下の実施例についても同様に扱うこととする。
【００３７】
図９はランナー４のさらに異なる別実施例を示す。そこでは、操作ギヤ３１を省略して、調整ギヤ２９を直接操作することにより、ランナー軸１１を前後移動できるようにした。詳しくは、調整ギヤ２９の外径をローラー２５の直径より僅かに小さく設定し、その周面を走行ブロック２４の側端外面に露出させて、指先で調整リング２９を直接回転操作できるようにした。
【００３８】
この実施例から理解できるように、調整ギヤ２９は歯車である必要はなく、調整ねじ軸２８と噛み合うねじ穴３９を備えたリングであればよく、その場合には、ギヤ歯の代わりにローレット溝や凹凸などの滑り止めが周面に設けてあればよい。
【００３９】
上記の各実施例では、調整リング２９を調整ねじ軸２８に沿って前後移動させて、その動作を受動ピース３０を介してランナー軸１１に伝えたがその必要はない。その場合の前後調整機構は、走行ブロック２４の移行方向と直交する向きに配置した調整ねじ軸２８と、調整ねじ軸２８に螺合して調整ねじ軸２８に沿って前後方向へ調整移動できる受動ピース３０と、調整ねじ軸２８を回転操作する調整リング２９等で構成する。受動ピース３０はランナー軸１１に装着固定する。
【００４０】
図９を参照しながら説明すると、調整リング２９を調整ねじ軸２８の前後いずれか一側に固定して、調整リング２９を指先で回転操作して調整ねじ軸２８を回転操作できるようにする。そのうえで、受動ピース３０のアーム４１に調整ねじ軸２８と螺合するねじ穴を設けて、調整ねじ軸２８が調整リング２９で回転操作されるとき、受動アーム３０を前後に移動させて、ランナー軸１１を前後調整できるようにする。なお、先に説明した実施例と同様に、別に設けた操作ギヤ３１で調整リング２９を回転操作することができる。
【００４１】
上記の実施例以外に、調整ねじ軸２８はローラー軸２６とは別の専用軸として設けることができる。その場合には、走行ブロック２４を利用して調整ねじ軸２８を回り止めできるので回止め具３５を省略できる。ランナー本体８の戸パネル３に対する装着構造は、実施例で説明した構造には限定されず、要はランナー本体８と戸パネル３とがランナー軸１１を介して連結されていればよい。ランナー４は吊り車型のランナーである必要はなく、戸車型のランナーであってもよい。
【図面の簡単な説明】
【図１】ランナー本体の縦断正面図である。
【図２】引戸の正面図である。
【図３】図１におけるＡ−Ａ線断面図である。
【図４】ランナー本体の分解斜視図である。
【図５】図１におけるＢ−Ｂ線断面図である。
【図６】調整リングと調整ねじ軸との関係構造を示す横断平面図である。
【図７】前後調整機構の縦断側面図である。
【図８】ランナー本体を折戸用に変更した一部破断正面図である。
【図９】前後調整機構の別実施例を示す縦断正面図である。
【符号の説明】
３　戸パネル
８　ランナー本体
１１　ランナー軸
２４　走行ブロック
２５　ローラー
２６　ローラー軸
２８　調整ねじ軸
２９　調整リング
３０　受動ピース
３１　操作ギヤ
３３　調整穴
３５　回止め具
【図１】
2004084396.tif 000003
【図２】
2004084396.tif 000004
【図３】
2004084396.tif 000005
【図４】
2004084396.tif 000006
【図５】
2004084396.tif 000007
【図６】
2004084396.tif 000008
【図７】
2004084396.tif 000009
【図８】
2004084396.tif 000010
【図９】
2004084396.tif 000011